(57)【要約】      （修正有）【課題】建築現場などで使用される足場について、足場を組み立てた状態で且つ支柱下端にジャッキベースなどの基材を装着したまま移動させるために用いられる足場移動用台車を提供する。【解決手段】足場の下端部の基材を載せる断面コの字型の載置部２ａと、載置部から横方向に突設される左縁２ｂ及び右縁２ｃと、左縁及び右縁の底部に回転可能にそれぞれ固定された左キャスター２ｅ及び右キャスター２ｆと、載置部に設けられ基材の載置部からの脱落を防止する押さえとからなり、基材を装着したまま足場の移動を可能とした。更に、足場移動用台車の移動を制動するストッパーを備える。【選択図】図１
0003229952.tif 000002
【実用新案登録請求の範囲】
【請求項１】
足場の下端部の基材を載せる断面コの字型の載置部と、
前記載置部から横方向に突設される左縁及び右縁と、
前記左縁及び前記右縁の底部に回転可能にそれぞれ固定された左キャスター及び右キャスターと、
前記載置部に設けられ前記基材の前記載置部からの脱落を防止する押さえとからなり、
前記基材を装着したまま前記足場の移動を可能としたことを特徴とする足場移動用台車。
【請求項２】
前記足場移動用台車の移動を制動するストッパーを備えることを特徴とする請求項１に記載の足場移動用台車。
【請求項３】
請求項１又は請求項２に記載の足場移動用台車と、前記足場移動用台のキャスターを載せるレールとからなることを特徴とする足場移動機構。
【考案の詳細な説明】
【技術分野】
【０００１】
本考案は、建築現場などで使用される足場、支保工など（以下、単に「足場」という）について、足場を組み立てた状態で且つ支柱下端にジャッキベースなどの基材を装着したまま移動させるために用いられる足場移動用台車、及びその足場移動用台車を用いた足場移動機構に関する。
【背景技術】
【０００２】
従来の足場の移動では、足場の支柱の下端にキャスターを取り付けておくか、支柱からジャッキベースなどの基材（非特許文献１）を取り外し、キャスター（非特許文献２）に交換して組み立てたまま移動させていた。
【０００３】
さらに、キャスターは一般にゴム製タイヤで被覆されており、大型化すると移動に大きな力を要する。また、ローリングタワー用キャスター（非特許文献３）は直動できない。加えて、移動後にキャスターを装着した状態では位置固定が不安定で安全でなく、他方ジャッキベースなどの基材にまた交換するのは煩雑であるという問題があった。
【先行技術文献】
【非特許文献】
【０００４】
【非特許文献１】https://www.monotaro.com/s/q-%83W%83%83%83b%83L%83x%81%5B%83X/
【非特許文献２】https://www.monotaro.com/g/02768612/?t.q=%91%AB%8F%EA%81%40%83L%83%83%83X%83%5E%81%5B
【非特許文献３】https://www.google.com/search?q=%E3%83%AD%E3%83%BC%E3%83%AA%E3%83%B3%E3%82%B0%E3%82%BF%E3%83%AF%E3%83%BC%E3%81%AE%E3%82%AD%E3%83%A3%E3%82%B9%E3%82%BF&sxsrf=ALeKk00SPifYnqAzNKcU9tItmTpucpi-nA:1602035813865&source=lnms&tbm=isch&sa=X&ved=2ahUKEwjD-ei8sKHsAhUUw4sBHe5iCbEQ_AUoAXoECAwQAw&biw=1745&bih=852
【考案の概要】
【考案が解決しようとする課題】
【０００５】
そこで、本考案は、建築現場などで使用される足場について、足場を組み立てた状態で且つ支柱下端にジャッキベースなどの基材を装着したまま移動させるために用いられる足場移動用台車、及びその足場移動用台車を用いた足場移動機構を提供することを目的とする。
【課題を解決するための手段】
【０００６】
本考案は、上記課題を解決するため、
（１）
足場の下端部の基材を載せる断面コの字型の載置部と、
前記載置部から横方向に突設される左縁及び右縁と、
前記左縁及び前記右縁の底部に回転可能にそれぞれ固定された左キャスター及び右キャスターと、
前記載置部に設けられ前記基材の前記載置部からの脱落を防止する押さえとからなり、
前記基材を装着したまま前記足場の移動を可能としたことを特徴とする足場移動用台車。
（２）
前記足場移動用台車の移動を制動するストッパーを備えることを特徴とする（１）に記載の足場移動用台車。
（３）
（１）又は（２）に記載の足場移動用台車と、前記足場移動用台のキャスターを載せるレールとからなることを特徴とする足場移動機構。
とした。
【考案の効果】
【０００７】
本考案は、上記構成であるので、建築現場などで使用される足場について、足場を組み立てた状態で且つ支柱下端にジャッキベースなどの基材を装着したまま移動させるために用いられる足場移動用台車、及びその足場移動用台車を用いた足場移動機構を提供できるようになる。
また、本考案は、直動可能で、ジャッキベースの交換も必要とせず、また作業位置も安定である。
【図面の簡単な説明】
【０００８】
【図１】本考案である足場移動機構の説明写真である。
【図２】本考案である足場移動用台車の説明平面側斜視写真である。
【図３】本考案である足場移動用台車の説明平面側斜視写真である。
【図４】本考案である足場移動機構の第２実施形態の説明写真である。
【考案を実施するための形態】
【０００９】
以下、添付図面に基づき、本考案の実施の形態について詳細に説明する。ただし、本考案はそれら実施形態の形状、大きさに限定されるものではない。
【実施例１】
【００１０】
図１〜図３に示すように、本考案の一例である足場移動機構１は、足場移動用台車２と、左右レール４，４ｃとからなる。
【００１１】
足場移動用台車２は、足場の支柱６の下端部に取り付けたジャッキベース５などの基材を載せる断面コの字型の載置部２ａと、載置部２ａから横方向に突設される左縁２ｂ及び右縁２ｃと、左縁２ｂ及び右縁２ｃの底部に回転可能にそれぞれ固定された左キャスター２ｅ及び右キャスター２ｆと、押さえとからなる。
【００１２】
ここでは、Ｌ字金具を載置部２ａの左右壁にボルトナット２ｄで連結して、左右縁２ｂ，２ｃを形成した。また、左右キャスター２ｅ、２ｆは、  左右レール４，４ｃ上を移動できれば、形状、数は限定されないが、左右にそれぞれ、一連、二連、三連以上設けることができ、図３のように左右に二連のキャスターであれば十分な安定性が確保できる。
【００１３】
左右レール４，４ｃとして、ここでは、板状の底材４ａと、底材４ａに固定した丸棒４ｂとからなる形状を例示した。丸棒４ｂは、左右キャスター２ｅ、２ｆが回転走行できれば、形状は特に限定されるものではない。左右レール４，４ｃは同形状でよい。
【００１４】
左右レール４，４ｃは、足場を載せた足場移動用台車２を走行させたい方向に、足場移動用台車２の移動前に設置し、足場移動用台車２の左右キャスター２ｅ，２ｆをそれぞれ載せる。移動時に設置し、移動後に撤去も容易であるので、作業の邪魔にならない。
【００１５】
押さえは、ここでは、ジャッキベース５が足場移動時に、載置部２ａから脱落しないよう、載置部２ａに起立する左右壁に渡された横材２ｈ、或いは図２に確認できるよう載置部底面から突出した断面Ｌ字でベースを嵌める突起２ｉなどを例示した。足場移動用台車２の進行方向に対して、後ろ側に設けることで、ジャッキベース５の脱落を防止できる。押さえは、固定式、着脱式（穴にボルトを挿入など）、いずれであってもよい。
【００１６】
足場移動機構１による、足場の移動方法について、以下説明する。足場を移動させるときになって、４箇所などある足場の支柱６の１箇所において、ジャッキベース５のハンドル５ｃを回転させてネジ棒５ｂを支柱６内に挿入できるようにする。ネジ棒５ｂを支柱６内に挿入することで、ベース５ａが地面などの設置面から浮かすことができる。
【００１７】
浮いたベース５ａと設置面との間に、足場移動用台車２を挿入する。さらに、足場移動用台車２の進行方向前側のキャスターの下に左右レール４，４ｃを挿入したうえで、ハンドル５ｃを回転させ、ベース５ａが載置部２ａに接触した状態を保持するまでネジ棒５ｂを支柱６内が突出させる。
【００１８】
足場移動後、上記と逆の操作をすることで、再び、ジャッキベース５を設置面に載置することとができる。
【実施例２】
【００１９】
図４に示すように、本考案の第二の例である足場移動機構ａ１は、実施例１の足場移動機構１の足場移動用台車２に、足場移動用台車２の移動を制動するストッパー３を備える点のみ異なる。
【００２０】
ストッパー３は、ここでは、載置部２ａと地面との間に打ち込まれるクサビ型とし、紐３ａで横材２ｈに連結したが、足場移動用台車２の移動を制動する作用を有すれば、形状、使用方法は特に限定されない。クサビ型であれば、着脱が容易で、ドア開閉止めとして一般に流通しており、その転用で容易、且つ廉価で入手できる。
【００２１】
ストッパー３を用いることで、足場移動後、ジャッキベース５を足場移動用台車２に載せたままでよく、足場の位置固定ができ安全性を確保したうで、作業性においては、実施例１より優れている。
【符号の説明】
【００２２】
１      足場移動機構
１ａ    足場移動機
２      足場移動用台車
２ａ    載置部
２ｂ    左縁
２ｃ    右縁
２ｄ    ボルトナット
２ｅ    左キャスター
２ｆ    右キャスター
２ｇ    ボルトナット
２ｈ    横材
２ｉ    突起
３      ストッパー
３ａ    紐
４      左レール
４ａ    底材
４ｂ    丸棒
４ｃ    右レール
５      ジャッキベース
５ａ    ベース
５ｂ    ネジ棒
５ｃ    ハンドル
６      支柱
【図１】
0003229952.tif 000003
【図２】
0003229952.tif 000004
【図３】
0003229952.tif 000005
【図４】
0003229952.tif 000006